(57)【特許請求の範囲】
【請求項１】
吸込口と吐出口とを有した筐体と、
前記吸込口から吸い込んだ空気を前記吐出口から吐き出す送風機と、
冷媒を圧縮する圧縮機と、
前記圧縮機が圧縮した冷媒を冷却する凝縮器と、
前記凝縮器が冷却した冷媒を減圧する減圧装置と、
前記送風機に吸い込まれた空気が通過するように設けられ、前記減圧装置が減圧した冷媒への吸熱を行うことで空気に含まれる水分を除去する蒸発器と、
前記圧縮機に取り付けられ、前記圧縮機の温度に対応した信号を送信する温度センサと、
前記温度センサから受信した信号が予め設定された温度よりも高い温度に対応した信号の場合に前記圧縮機の回転数を下げる制御装置と、
を備え、
前記温度センサは、接触したものの温度に基づいて抵抗値を変化させるサーミスタからなり、
前記圧縮機の上面に接触した支持体と、
前記サーミスタを上方から保持した板金と、
前記サーミスタを保持した前記板金が下方から嵌め込まれ、前記支持体の上方から押し込まれ、前記サーミスタが前記支持体に接触した状態で前記板金とともに前記支持体に保持されたカバーと、
を備え、
前記支持体は、
前記圧縮機の上面に接触した平面部と、
前記平面部の両側から上方に突き出した一対の腕部と、
を有し、
前記板金は、
前記サーミスタを保持した保持部と、
前記保持部の両側から上方に突き出した一対の挟み込み部と、
を有し、
前記カバーは、
外側面の両側に設けられた一対の溝、
を有し、
前記板金の前記一対の挟み込み部が前記一対の溝に嵌め込まれ、前記サーミスタが前記支持体の前記平面部に接触した状態で前記板金の前記一対の挟み込み部とともに前記支持体の前記一対の腕部が前記一対の溝に挟み込まれた除湿機。
【請求項２】
前記制御装置は、前記温度センサから受信した信号が第１制限温度よりも高い温度に対応した信号の場合に前記圧縮機の回転数を下げ、前記温度センサから受信した信号が前記第１制限温度よりも高い第２制限温度よりも高い温度に対応した信号の場合に前記圧縮機を停止させる請求項１に記載の除湿機。
【請求項３】
前記制御装置は、前記温度センサから受信した信号が前記第１制限温度よりも高い温度に対応した信号から前記第１制限温度よりも低い制限解除温度よりも低い温度に対応した信号に変化した場合に、前記圧縮機の回転数の制限を解除する請求項２に記載の除湿機。
【発明の詳細な説明】
【技術分野】
【０００１】
この発明は、除湿機に関する。
【背景技術】
【０００２】
特許文献１は、除湿機を開示する。除湿機は、圧縮機を備える。除湿機は、安全装置を備える。安全装置は、圧縮機の温度が上昇して予め設定された温度よりも高くなった際に圧縮機への通電を遮断する。
【先行技術文献】
【特許文献】
【０００３】
【特許文献１】特開平７−２３３９９９号公報
【発明の概要】
【発明が解決しようとする課題】
【０００４】
しかしながら、圧縮機への通電が遮断されると、除湿機は、室内の空気に含まれる水分を除去することができない。
【０００５】
この発明は、上述の課題を解決するためになされた。この発明の目的は、圧縮機の温度が上昇しても除湿する機能を維持できる除湿機を提供することである。
【課題を解決するための手段】
【０００６】
この発明に係る除湿機は、吸込口と吐出口とを有した筐体と、前記吸込口から吸い込んだ空気を前記吐出口から吐き出す送風機と、冷媒を圧縮する圧縮機と、前記圧縮機が圧縮した冷媒を冷却する凝縮器と、前記凝縮器が冷却した冷媒を減圧する減圧装置と、前記送風機に吸い込まれた空気が通過するように設けられ、前記減圧装置が減圧した冷媒への吸熱を行うことで空気に含まれる水分を除去する蒸発器と、前記圧縮機に取り付けられ、前記圧縮機の温度に対応した信号を送信する温度センサと、前記温度センサから受信した信号が予め設定された温度よりも高い温度に対応した信号の場合に前記圧縮機の回転数を下げる制御装置と、を備え、前記温度センサは、接触したものの温度に基づいて抵抗値を変化させるサーミスタからなり、前記圧縮機の上面に接触した支持体と、前記サーミスタを上方から保持した板金と、前記サーミスタを保持した前記板金が下方から嵌め込まれ、前記支持体の上方から押し込まれ、前記サーミスタが前記支持体に接触した状態で前記板金とともに前記支持体に保持されたカバーと、を備え、前記支持体は、前記圧縮機の上面に接触した平面部と、前記平面部の両側から上方に突き出した一対の腕部と、を有し、前記板金は、前記サーミスタを保持した保持部と、前記保持部の両側から上方に突き出した一対の挟み込み部と、を有し、前記カバーは、外側面の両側に設けられた一対の溝、を有し、前記板金の前記一対の挟み込み部が前記一対の溝に嵌め込まれ、前記サーミスタが前記支持体の前記平面部に接触した状態で前記板金の前記一対の挟み込み部とともに前記支持体の前記一対の腕部が前記一対の溝に挟み込まれた。
【発明の効果】
【０００７】
この発明によれば、制御装置は、圧縮機の温度が予め設定された温度よりも高い温度に対応した信号を温度センサから受信した場合に圧縮機の回転数を下げる。圧縮機の回転数が下がると、圧縮機への負荷が減る。圧縮機への負荷が減ると、圧縮機の温度が下がる。このため、除湿機は、圧縮機の温度が上昇しても除湿する機能を維持できる。
【図面の簡単な説明】
【０００８】
【図１】この発明の実施の形態１における除湿機を斜め後方から見た際の分解斜視図である。
【図２】この発明の実施の形態１における除湿機の縦断面図である。
【図３】この発明の実施の形態１における除湿機の横断面図である。
【図４】この発明の実施の形態１における除湿機の要部の分解斜視図である。
【図５】この発明の実施の形態１における除湿機に用いられた板金の平面図である。
【図６】この発明の実施の形態１における除湿機の要部の縦断面図である。
【図７】この発明の実施の形態１における除湿機に用いられた圧縮機の制御の例を説明するための図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における除湿機を斜め後方から見た際の分解斜視図である。
【００１１】
図１において、矢印の方向が前方である。図１の除湿機の筐体は、中央筐体１と前方筐体２と後方筐体３とからなる。中央筐体１は、除湿機の前後方向において除湿機の中央部に設けられる。前方筐体２は、中央筐体１の前部に着脱自在に設けられる。後方筐体３は、中央筐体１の後部に着脱自在に設けられる。
【００１２】
中央筐体１は、自立可能に設けられる。吐出口４は、中央筐体１の上部に形成される。送風機５は、中央筐体１の前後方向において中央筐体１の中央部に設けられる。例えば、送風機５は、両吸込みのシロッコファンからなる。例えば、送風機５は、送風ファンとファンモータとを備える。送風機５の回転軸は、中央筐体１の中央部において除湿機の前後方向に水平に向くように設定される。
【００１３】
除湿装置６は、中央筐体１の後部に設けられる。除湿装置６は、圧縮機６ａと凝縮器６ｂと減圧装置６ｃと蒸発器６ｄとを備える。例えば、圧縮機６ａは、３相圧縮機からなる。圧縮機６ａは、中央筐体１の下部に設けられる。凝縮器６ｂは、中央筐体１の上部に設けられる。例えば、減圧装置６ｃは、キャピラリーチューブからなる。減圧装置６ｃは、中央筐体１の上部の一側に設けられる。蒸発器６ｄは、中央筐体１の上部に設けられる。
蒸発器６ｄは、凝縮器６ｂの前方に設けられる。圧縮機６ａと凝縮器６ｂと減圧装置６ｃと蒸発器６ｄとは、配管により順に接続される。
【００１４】
湿度検出装置７は、中央筐体１の下部の一側に設けられる。リアクトル８は、中央筐体１の前部に設けられる。制御装置９は、中央筐体１の前部に設けられる。放熱フィン（図示せず）は、制御装置９に取り付けられる。温度検出装置（図示せず）は、放熱フィンに取り付けられる。
【００１５】
前方筐体２は、操作部１０と貯水タンク１１とを備える。操作部１０は、前方筐体２の上部に設けられる。貯水タンク１１は、前方筐体２の前方から前方筐体２の下部に着脱自在に設けられる。
【００１６】
後方筐体３は、吸込口１２と取込口１３とを備える。吸込口１２は、後方筐体３の上部に設けられる。取込口１３は、後方筐体３の一側の下部に設けられる。取込口１３は、後方筐体３が中央筐体１に取り付けられた際に湿度検出装置７と対向する位置に設けられる。
【００１７】
次に、図２を用いて、除湿機による除湿の概要を説明する。
図２はこの発明の実施の形態１における除湿機の縦断面図である。
【００１８】
制御装置９は、操作部１０の操作状態と湿度検出装置７に検出された湿度とに基づいて送風機５の動作を制御する。送風機５は、制御装置９からの制御指令に応じた回転数で回転する。その結果、室内の空気Ａは、吸込口１２から水平方向に筐体の内部に吸い込まれる。その後、空気Ａは、蒸発器６ｄを通過する。その後、送風機５は、吐出口４から上方に向けて空気Ｂを室内へ吐き出す。
【００１９】
制御装置９は、操作部１０の操作状態と湿度検出装置７に検出された湿度とに基づいて圧縮機６ａの動作を制御する。圧縮機６ａは、制御装置９からの制御指令に応じた回転数で冷媒を圧縮する。凝縮器６ｂは、圧縮機６ａが圧縮した冷媒を冷却する。減圧装置６ｃは、凝縮器６ｂが冷却した冷媒を減圧する。蒸発器６ｄは、減圧装置６ｃが減圧した冷媒への吸熱を行うことで空気Ａに含まれる水分を除去する。その結果、乾燥した空気Ｂが生成される。空気Ａから除去された水分は、貯水タンク１１に貯められる。
【００２０】
制御装置９は、圧縮機６ａの温度が予め設定された第１制限温度よりも高くなった際に圧縮機６ａの回転数を下げる。第１制限温度は、圧縮機６ａが高温側で許容し得る限界温度よりも低い温度に設定される。
【００２１】
制御装置９は、圧縮機６ａの温度が予め設定された第２制限温度よりも高くなった際に圧縮機６ａを停止させる。第２制限温度は、圧縮機６ａが高温側で許容し得る限界温度よりも低く第１制限温度よりも高い温度に設定される。
【００２２】
制御装置９は、圧縮機６ａの温度が予め設定された制限解除温度よりも低くなった際に圧縮機６ａの回転数の制限を解除する。制限解除温度は、第１制限温度よりも低い温度に設定される。
【００２３】
次に、図３を用いて、圧縮機６ａに取り付けられた配管を説明する。
図３はこの発明の実施の形態１における除湿機の横断面図である。
【００２４】
図３に示すように、圧縮機６ａの外周は、水平投影面において円形状となるように形成される。第１配管１４は、圧縮機６ａの上面に取り付けられる。第１配管１４は、圧縮機６ａにより圧縮された冷媒を凝縮器６ｂ（図３においては図示せず）に送る。第２配管１５は、圧縮機６ａの側面に取り付けられる。第２配管１５は、蒸発器６ｄ（図３においては図示せず）により吸熱した冷媒を圧縮機６ａに送る。
【００２５】
次に、図４を用いて、圧縮機６ａの詳細を説明する。
図４はこの発明の実施の形態１における除湿機の要部の分解斜視図である。
【００２６】
図４において、矢印の方向が上方である。図４に示すように、圧縮機６ａは、流入口１６と流出口１７とモータ１８と端子１９とを有する。流入口１６は、圧縮機６ａの側面に設けられる。流入口１６は、第１配管１４（図４において図示せず）に接続される。流出口１７は、圧縮機６ａの上面に設けられる。流出口１７は、第２配管１５（図４においては図示せず）に接続される。モータ１８は、圧縮機６ａの内部の上部に設けられる。端子１９は、圧縮機６ａの上面において流出口１７と重ならない位置に設けられる。端子１９は、電源線（図示せず）に接続される。
【００２７】
例えば、支持体２０は、金属により一体形成される。支持体２０は、圧縮機６ａの上面において流出口１７と端子１９と重ならない位置に設けられる。支持体２０は、平面部２０ａと一対の腕部２０ｂとを有する。平面部２０ａは、圧縮機６ａの上面に接触する。一対の腕部２０ｂは、平面部２０ａの両側から上方に突き出す。腕部２０ｂの一方の幅は、腕部２０ｂの他方の幅よりも広い。一対の腕部２０ｂの各々は、接触部２０ｃと開口部２０ｄとを有する。接触部２０ｃは、腕部２０ｂの上部を平面部２０ａの中央の側へ突き出すように折り曲げることにより形成される。開口部２０ｄは、接触部２０ｃの下方において腕部２０ｂを貫通する。
【００２８】
例えば、温度センサ２１は、サーミスタからなる。サーミスタは、円柱状に形成される。サーミスタは、接触したものの温度に基づいて抵抗値を変化させる。
【００２９】
配線２２の一側は、サーミスタの一端に接続される。配線２２の他側は、制御装置９（図４においては図示せず）に接続される。
【００３０】
例えば、板金２３は、金属により一体形成される。板金２３は、保持部２３ａと一対の挟み込み部２３ｂとを有する。保持部２３ａは、矩形状に形成される。保持部２３ａは、対角線に沿って温度センサ２１を上方から挟み込んで保持し得るように形成される。一対の挟み込み部２３ｂは、保持部２３ａの両側から上方に突き出す。挟み込み部２３ｂの一方の幅は、挟み込み部２３ｂの他方の幅よりも広い。一対の挟み込み部２３ｂの各々は、接触部２３ｃを有する。接触部２３ｃは、挟み込み部２３ｂの上部の一部を保持部２３ａの中央の側へ折り曲げることにより形成される。
【００３１】
例えば、カバー２４は、樹脂で形成される。カバー２４の下側は開口する。カバー２４は、一対の溝２４ａを有する。一対の溝２４ａは、外側面の両側に設けられる。溝２４ａの一方の幅は、溝２４ａの他方の幅よりも広い。カバー２４は、配線ガイド部２４ｂを有する。配線ガイド部２４ｂは、カバー２４の外側面の一部に連結する。
【００３２】
例えば、クリップ２５は、線状の金属で一体形成される。クリップ２５は、上部押込み部２５ａと一対の側部押込み部２５ｂとを有する。上部押込み部２５ａの中央は、下方に湾曲する。一対の側部押込み部２５ｂは、上部押込み部２５ａの両側から下方に突き出す。上部押込み部２５ａの各々の下部は、上部押込み部２５ａの中央の側へ突き出す。
【００３３】
温度センサ２１が圧縮機６ａに取り付けられる際、温度センサ２１が板金２３の保持部２３ａに上方から保持される。その後、板金２３の保持部２３ａが温度センサ２１を保持した状態で、板金２３の一対の挟み込み部２３ｂがカバー２４の一対の溝２４ａに下方から嵌め込まれる。この際、挟み込み部２３ｂの一方は、溝２４ａの一方に収まる。嵌め込み部２３ｂの他方に収まる。
【００３４】
その後、カバー２４が支持体２０の上方から押し込まれる。その結果、カバー２４は、板金２３の一対の挟み込み部２３ｂとともに支持体２０の一対の腕部２０ｂに挟み込まれる。この際、腕部２０ｂの一方は、溝２４ａの一方に収まる。腕部２０ｂの他方は、溝２４ａの他方に収まる。
【００３５】
その後、クリップ２５がカバー２４の上方から嵌め込まれる。その結果、クリップ２５の上部押込み部２５ａは、カバー２４の上面を下方に押し込む。クリップ２５の一対の側部押込み部２５ｂの下部は、開口部２０ｄを貫通した状態で板金２３の一対の挟み込み部２３ｂをカバー２４の溝２４ａの底面に押し込む。この際、電源線と配線２２とは、カバー２４の配線ガイド部２４ｂに沿って配置される。
【００３６】
次に、図５を用いて、板金２３の向きと配線２２の向きとを説明する。
図５はこの発明の実施の形態１における除湿機に用いられた板金の平面図である。
【００３７】
図５に示すように、板金２３は、マーク部２３ｄを備える。例えば、マーク部２３ｄは、保持部２３ａの一部を貫通させることにより形成される。マーク部２３ｄは、温度センサ２１の一端の側において保持部２３ａの一側に設けられる。
【００３８】
次に、図６を用いて、温度センサ２１を説明する。
図６はこの発明の実施の形態１における除湿機の要部の縦断面図である。
【００３９】
図６に示すように、温度センサ２１は、板金２３の保持部２３ａに上方から押さえ付けられている。板金２３の挟み込み部２３ｂは、カバー２４の溝２４ａに嵌め込まれている。板金２３の接触部２３ｃは、カバー２４の溝２４ａの底面を押さえ付けている。板金２３の挟み込み部２３ｂとカバー２４とは、支持体２０の腕部２０ｂに挟み込まれている。クリップ２５の上部押込み部２５ａは、カバー２４の上面を下方に押し込んでいる。クリップ２５の側部押込み部２５ｂの下部は、板金２３の挟み込み部２３ｂをカバー２４の溝２４ａの底面に押し付けている。
【００４０】
その結果、支持体２０と温度センサ２１と板金２３とカバー２４とクリップ２５とは、図６の状態で保持される。このため、温度センサ２１は、支持体２０の平面部２０ａに接触した状態に維持される。この場合、圧縮機６ａの温度の変動に応じて、支持体２０の平面部２０ａの温度も変動する。平面部２０ａの温度の変動に応じて、温度センサ２１は、送信する信号を変化させる。すなわち、温度センサ２１は、圧縮機６ａの温度に対応した信号を送信する。
【００４１】
次に、図７を用いて、圧縮機６ａの制御の例を説明する。
図７はこの発明の実施の形態１における除湿機に用いられた圧縮機の制御の例を説明するための図である。
【００４２】
例えば、圧縮機６ａの回転数の設定は、複数の等級に分けられる。例えば、圧縮機６ａの回転数の設定は、第１等級から第８等級に分けられる。第１等級は、最も低い回転数に対して割り当てられる。第２等級は、第１等級の回転数よりも高い回転数に対して割り当てられる。第３等級は、第２等級の回転数よりも高い回転数に対して割り当てられる。第４等級は、第３等級の回転数よりも高い回転数に対して割り当てられる。第５等級は、第４等級の回転数よりも高い回転数に対して割り当てられる。第６等級は、第５等級の回転数よりも高い回転数に対して割り当てられる。第７等級は、第６等級の回転数よりも高い回転数に対して割り当てられる。第８等級は、回転数の制限がない状態に対して割り当てられる。
【００４３】
例えば、制御装置９は、温度センサ２１からの信号に基づいて圧縮機６ａの温度を１５秒間隔で判定する。制御装置９は、圧縮機６ａの温度に基づいて圧縮機６ａの動作を制御する。例えば、制御装置９は、温度検出装置に検出された放熱フィンの温度と圧縮機６ａの温度と圧縮機６ａの消費電力との判定結果に基づいて圧縮機６ａの回転数を制御する。例えば、制御装置９は、ＰＷＭ制御により圧縮機６ａの回転数を段階的に制御する。
【００４４】
図７においては、第１制限温度は、２段階で設定される。第１制限温度の一方は、９０℃に設定される。第１制限温度の他方は、１００℃に設定される。第２制限温度は、１１０℃に設定される。制限解除温度は、８８℃に設定される。
【００４５】
例えば、圧縮機６ａの温度が９０℃未満の場合は、制御装置９は、圧縮機６ａの設定を第８等級とする。その後、圧縮機６ａの温度が上昇して９０℃以上になると、制御装置９は、圧縮機６ａの設定を第３等級とする。さらに、圧縮機６ａの温度が上昇して１００℃以上になると、制御装置９は、圧縮機６ａの設定を第１等級とする。さらに、圧縮機６ａの温度が上昇して１１０℃以上になると、制御装置９は、圧縮機６ａの温度が異常であると判定する。この際、制御装置９は、圧縮機６ａを停止させる。
【００４６】
その後、圧縮機６ａの温度が下降して１１０℃未満になっても、制御装置９は、圧縮機６ａの停止を維持する。さらに、圧縮機６ａの温度が下降して１００℃未満になっても、制御装置９は、圧縮機６ａの停止を維持する。さらに、圧縮機６ａの温度が下降して９０℃未満になっても、制御装置９は、圧縮機６ａの停止を維持する。さらに、圧縮機６ａの温度が下降して８８℃未満になると、制御装置９は、圧縮機６ａの設定を第８等級とする。
【００４７】
以上で説明した実施の形態１によれば、制御装置９は、圧縮機６ａの温度が予め設定された温度よりも高い温度に対応した信号を温度センサ２１から受信した場合に圧縮機６ａの回転数を下げる。圧縮機６ａの回転数が下がると、圧縮機６ａへの負荷が減る。圧縮機６ａへの負荷が減ると、圧縮機６ａの温度が下がる。このため、除湿機は、圧縮機６ａの温度が上昇しても除湿する機能を維持できる。
【００４８】
また、制御装置９は、温度センサ２１から受信した信号が第１制限温度よりも高い温度に対応した信号の場合に圧縮機６ａの回転数を下げ、温度センサ２１から受信した信号が第２制限温度よりも高い温度に対応した信号の場合に圧縮機を停止させる。このため、可能な限り圧縮機６ａを動作させつつ、圧縮機６ａが故障することを確実に防止できる。
【００４９】
また、制御装置９は、温度センサ２１から受信した信号が第１制限温度よりも高い温度に対応した信号から制限解除温度よりも低い温度に対応した信号に変化した場合に、圧縮機の回転数の制限を解除する。このため、温度センサ２１が圧縮機６ａの温度の変化を検出するまでの時間を考慮して、圧縮機６ａの回転数を適切に制御することができる。
【００５０】
また、温度センサ２１は、サーミスタからなる。このため、圧縮機６ａを検出する機能を小さな領域で安価に実現することができる。
【００５１】
また、温度センサ２１は、支持体２０と板金２３とカバー２４とにより確実に保持される。さらに、クリップ２５は、温度センサ２１の保持をより確実にする。このため、圧縮機６ａの温度をより正確に検出することができる。
【００５２】
また、支持体２０の腕部２０ｂと板金２３の挟み込み部２３ｂとは、カバー２４の溝２４ａに嵌め込まれる。このため、温度センサ２１の保持をより強固にすることができる。
【００５３】
また、温度センサ２１が圧縮機６ａに取り付けられる際、温度センサ２１を保持した板金２３は、カバー２４に嵌め込まれる。このため、カバー２４を圧縮機６ａの上面にかぶせるだけで、温度センサ２１を支持体２０に接触させることができる。
【００５４】
なお、圧縮機６ａの回転数に応じて、圧縮機６ａの温度を判定する間隔を変化させてもよい。例えば、圧縮機６ａの回転数が高くなるにつれて、圧縮機６ａの温度を判定する間隔を短くしてもよい。この場合、圧縮機６ａの温度が高くなるほど、圧縮機６ａの温度を判定する間隔が短くなる。このため、圧縮機６ａの故障をより確実に防止できる。
【符号の説明】
【００５５】
１  中央筐体、  ２  前方筐体、  ３  後方筐体、  ４  吐出口、  ５  送風機、  ６  除湿装置、  ６ａ  圧縮機、  ６ｂ  凝縮器、  ６ｃ  減圧装置、  ６ｄ  蒸発器、  ７  湿度検出装置、  ８  リアクトル、  ９  制御装置、  １０  操作部、  １１  貯水タンク、  １２  吸込口、  １３  取込口、  １４  第１配管、  １５  第２配管、  １６  流入口、  １７  流出口、  １８  モータ、  １９  端子、  ２０  支持体、  ２０ａ  平面部、  ２０ｂ  保持部、  ２０ｃ  接触部、  ２０ｄ  開口部、  ２１  温度センサ、  ２２  配線、  ２３  板金、  ２３ａ  保持部、  ２３ｂ  挟み込み部、  ２３ｃ  接触部、  ２３ｄ  マーク部、  ２４  カバー、  ２４ａ  溝、  ２４ｂ  配線ガイド部、  ２５  クリップ、  ２５ａ  上部押込み部、  ２５ｂ  側部押込み部
【図１】
0006350186.tif 000002
【図２】
0006350186.tif 000003
【図３】
0006350186.tif 000004
【図４】
0006350186.tif 000005
【図５】
0006350186.tif 000006
【図６】
0006350186.tif 000007
【図７】
0006350186.tif 000008